(57)【要約】【課題】人体を加熱又は冷却する調温装具について、優れた冷却効果を発揮しつつ装着者の自由な行動を制限しないようにする。【解決手段】調温ベスト２は、人体を冷却する冷媒を注入及び排出可能な調温袋１０を備える。調温袋１０は、人体を冷却する調温対象部位に対応する外形に形成されており、冷媒を出し入れする注入・回収ポート１０ｂと、冷媒の充填により膨らむ膨出部１０ｃと、膨出部１０ｃに対して陥没する多数の固着部１０ａを有する。【選択図】図４
2019210575.tif 000002
【特許請求の範囲】
【請求項１】
人体を加熱又は冷却する熱媒体の注入及び排出が可能な熱媒体収容袋を備える調温装具において、
前記熱媒体収容袋は、
前記人体を加熱又は冷却する調温対象部位に対応する外形に形成されており、
前記熱媒体の交換口と、
前記熱媒体の充填により膨らむ膨出部と、
前記膨出部に対して陥没する多数の点状凹部とを有することを特徴とする調温装具。
【請求項２】
前記熱媒体収容袋は、前記人体の高さ方向に沿う下側部位に前記熱媒体の充填容量が少ない低充填部を有する
請求項１記載の調温装具。
【請求項３】
前記熱媒体収容袋は、前記熱媒体が充填されず曲折可能な非充填部を有する
請求項１又は請求項２記載の調温装具。
【請求項４】
前記熱媒体収容袋は、前記人体の高さ方向に沿う下縁に、前記交換口を有する
請求項１〜請求項３何れか１項記載の調温装具
【請求項５】
前記熱媒体収容袋を保持する服本体をさらに備える
請求項１〜請求項４何れか１項記載の調温装具。
【請求項６】
前記熱媒体収容袋を覆う断熱部材をさらに備える
請求項１〜請求項５何れか１項記載の調温装具。
【請求項７】
前記交換口に着脱可能な接続管と、
前記接続管に連結される温度調節装置とを備えており、
前記温度調節装置は、
前記熱媒体を収容するとともに前記熱媒体の熱媒体調温部を有するタンク部と、
前記タンク部に収容する前記熱媒体を前記接続管に送り且つ前記接続管から前記熱媒体を前記タンク部に回収する熱媒体給排手段とを備える
請求項１〜請求項６何れか１項記載の調温装具。
【請求項８】
前記熱媒体給排手段は、
前記タンク部に収容する前記熱媒体を前記接続管を介して前記熱媒体収容袋に供給する注入モードと、前記熱媒体収容袋に充填した前記熱媒体を前記接続管を介して前記タンク部へ回収する回収モードとを切り換える流路切換部を有する
請求項７記載の調温装具。
【請求項９】
前記流路切換部は、
前記タンク部から前記熱媒体を吸入して前記タンク部に吐出する攪拌モードをさらに切り換え可能である
請求項８記載の調温装具。
【請求項１０】
人体を加熱又は冷却する熱媒体を収容し、前記熱媒体の交換口を有する熱媒体収容袋と、前記交換口に着脱可能な接続管と、
前記接続管に連結される温度調節装置とを備えており、
前記温度調節装置は、
前記熱媒体を収容するとともに前記熱媒体の熱媒体調温部を有するタンク部と、
前記タンク部に収容する前記熱媒体を前記接続管に送り且つ前記接続管から前記熱媒体を前記タンク部に回収する熱媒体給排手段とを備え、
前記熱媒体給排手段は、
前記タンク部に収容する前記熱媒体を前記接続管を介して前記熱媒体収容袋に供給する注入モードと、前記熱媒体収容袋に充填した前記熱媒体を前記接続管を介して前記タンク部へ回収する回収モードとを切り換える流路切換部を有する
人体調温システム。
【発明の詳細な説明】
【技術分野】
【０００１】
本発明は、人体を加熱又は冷却するのに用いる調温装具及び人体調温システムに関する。
【背景技術】
【０００２】
人体を加熱する加熱装具及び人体を冷却する冷却装具が、従来から提案されている。これらの調温装具は、例えば寒冷地における冬場の屋外作業や夏場の炎天下での屋外作業にとって特に有用とされている。
【０００３】
登録実用新案第３１８５２３７号公報（特許文献１）には、身体冷却用衣服が開示されている。この身体冷却用衣服は、外形がベストに整えられたビニール等からなる表地と裏地を、十字形状の接着部において接着することで複数の小区画に区分された矩形状の冷媒室を形成する。隣接する冷媒室の間には、それを連通する冷媒通路を形成し、さらに冷媒室に冷媒を供給する冷媒出入口が設けられる。
【０００４】
特開２０１５−８９４３０号公報（特許文献２）には、作業者が着用する冷却ベストと冷却装置本体との間で冷却水を常時循環させて作業者の人体を冷却する人体冷却システムが開示されている。
【０００５】
特開２０１７−１９０５３６号公報（特許文献３）には、作業者が着用する被服体に、熱媒体の流路となる被服体チューブと、熱媒体を循環させるポンプと、ポンプに電力を供給する電源部等とを有する温度調整部を備える可搬型温度調節装置が開示されている。ここで温度調整部は、例えばベルトを用いて背負うリュックサック、肩掛けバッグ、ヒップバッグ等のように身体に装着する可搬型であることを特徴としている。
【先行技術文献】
【特許文献】
【０００６】
【特許文献１】登録実用新案第３１８５２３７号公報、図１〜図４
【特許文献２】特開２０１５−８９４３０号公報、請求項１、図１
【特許文献３】特開２０１７−１９０５３６号公報、図２、段落００１８
【発明の概要】
【発明が解決しようとする課題】
【０００７】
これらの従来技術のうち特許文献１のものでは、十字状の接着部で複数の小区画に区分された矩形状の冷媒室を形成する。このため冷媒室に充填した冷媒を入れ替える際に、各冷媒室を区画する「壁」となっている十字状の接着部によって、冷媒の流れが悪化して流動抵抗が大きくなり、冷媒の交換作業をスムーズに行えない虞がある。特許文献２の従来技術は、冷却ベストと冷却装置本体との間で冷却水を常時循環させるために、高い冷却効果を得られることが期待される。しかしながら、冷却ベストと冷却装置本体とを注入用と排出用の一対のホースで常時繋げておく必要がある。そのため作業者の行動範囲がホースの長さによって制限されてしまい自由な行動が制限され、またホースが途中で折れたりすると冷却水の循環が停止して冷却効果が得られない虞がある。特許文献３の従来技術は、特許文献２と同様に熱媒体を被服体チューブに常時供給するものであるため、高い冷却効果を得られることが期待される。しかしながら、ポンプや電源部等を含む温度調整部をリュックサック等の形態で、身につけておかなければならない。そのため装着者は、温度調節部をぶつけて破損させたり故障させたりしないように、身のこなしに気を遣う必要があることから、自由な行動が制限される虞がある。
【０００８】
以上のような従来技術を背景になされたのが本発明である。本発明の目的は、人体を加熱又は冷却する調温装具について、優れた冷却効果を発揮しつつ装着者の自由な行動を制限しないことにある。
【課題を解決するための手段】
【０００９】
上記目的を達成すべく本発明は、以下の特徴を有するものとして構成される。
【００１０】
即ち、本発明は、人体を加熱又は冷却する熱媒体を注入及び排出可能な熱媒体収容袋を備える調温装具について、前記熱媒体収容袋が、前記人体を加熱又は冷却する調温対象部位に対応する外形に形成されており、前記熱媒体の交換口と、前記熱媒体の充填により膨らむ膨出部と、前記膨出部に対して陥没する多数の点状凹部とを有することを特徴とする調温装具を提供する。
【００１１】
本発明の調温装具は、熱媒体が加熱媒体である場合には、例えば冬季等の低温環境において人体を暖めるのに好適な加熱装具として構成できる。他方、熱媒体が冷却媒体である場合には、例えば夏季の炎天下等の高温環境において人体を冷やすのに好適な冷却装具として構成できる。また、熱媒体収容袋は、加熱又は冷却する人体の調温対象部位に対応する外形を有し、例えば人体の胸部や背中の全部又は一部に対応する形状として構成できる。
【００１２】
前記熱媒体収容袋は、熱媒体の交換口を有する。このため使用により当初の加熱効果や冷却効果が低減しても、交換口を通じて熱媒体収容袋の熱媒体を入れ替えることで、繰り返し当初の加熱効果及び冷却効果を容易に得ることができる。したがって装着者は、熱媒体収容袋を、熱媒体の供給装置から外して自由に行動することができる。
【００１３】
前記熱媒体収容袋は、熱媒体の充填により膨らむ膨出部を有する。この膨出部が人体に近く配置されることで、調温対象部位に対する確実な加熱効果又は冷却効果を得ることができる。また、前記熱媒体収容袋は、膨出部に対して陥没する多数の点状凹部を有する。これによれば熱媒体収容袋の人体側袋面に多数の点状凹部による陥没部（凹状空間）が形成されることで、膨出部による人体への過剰な加熱や冷却を抑制することができる。その点状凹部による陥没部は断熱空間として機能する。このため加熱媒体による保温効果を高め、冷却媒体による冷却効果を維持に効果的に機能する。
【００１４】
さらに多数の点状凹部は、熱媒体収容袋の内部に熱媒体が流れる特定の流路を形成することがなく、熱媒体収容袋の内部での熱媒体の流動性を良好にできる。前述の特許文献１では、個々の冷媒室を形成する十字状の接着部が「壁」となって熱媒体の流動抵抗を高めてしまう。冷媒用入口から熱媒体を注入して全体に行き渡らせるためには、隣接する冷媒室どうしを連通する冷媒通路を通じる必要があるが、個々の冷媒室に区画するためには冷媒通路を狭くする必要があることから、効率的に注入することが難しい。これは冷媒用入口から熱媒体を排出するときも同様である。これに対して本発明は、離散的に配置された「壁」を作らない多数の点状凹部であるため、熱媒体の注入時と回収時に、熱媒体収容袋の内部での熱媒体の流動抵抗を低減することができ、熱媒体の注入時間及び排出時間（回収時間）の短縮に寄与することができる。
【００１５】
前記熱媒体収容袋は、前記人体の高さ方向に沿う下側部位に前記熱媒体の充填容量が少ない低充填部を有するように構成できる。
【００１６】
前記本発明によれば、前記低充填部によって熱媒体収容袋の下側部位に熱媒体が偏って溜まってしまい、その下側部位が偏膨張するのを防ぐことができる。このため加熱効果又は冷却効果が熱媒体収容袋の下側部位に偏在するのを防ぎ、人体の調温対象部位を満遍なく加熱又は冷却することができる。また、熱媒体収容袋の下側部位が偏膨張しないため、偏膨張により装着者の自由な行動が制限されるのを抑制できる。即ち、装着者の不快感や違和感を感じることも低減できる。そうした低充填部位は、前記熱媒体収容袋の上側部位よりも下側部位について、前述の点状凹部を密に配置することで形成することができる。
【００１７】
前記熱媒体収容袋は、前記熱媒体が充填されず曲折可能な非充填部を有するように構成できる。
【００１８】
本発明によれば、非充填部には熱媒体が充填されないので、人体への未使用時には熱媒体収容袋を非充填部に沿って折り曲げることができる。即ち、熱媒体収容袋は、熱媒体を充填済みでも未充填でも折り畳めるため、保管や運搬時に便利である。また、そうした非充填部を人体の背骨に沿って設け、熱媒体を冷却媒体とする場合には、神経の通り道である人体の背骨に沿う部位では冷却媒体による冷却効果を抑制できるので、過剰な冷却により生じることのある体調不良の発生を抑制することができる。
【００１９】
前記熱媒体収容袋は、前記人体の高さ方向に沿う下縁に、前記交換口を有するように構成できる。
【００２０】
本発明によれば、交換口が熱媒体収容袋の下縁にあるため、人体に調温装具を装着したままの状態で、熱媒体収容袋の熱媒体を効率的に回収することができ、また注入することができる。
【００２１】
前記熱媒体収容袋を保持する服本体をさらに備えるように構成できる。
【００２２】
本発明によれば、熱媒体収容袋を保持する服本体を備えるため、調温装具を衣服として構成することができる。この調温装具によれば、着衣によって容易に人体の加熱効果又は冷却効果を得ることができる。前記服本体は、例えばベスト及び袖付きの衣服等として構成できる。また、用途としては、洋服、作業着、ユニフォーム等として構成できる。
【００２３】
前記本発明は、前記熱媒体収容袋を覆う断熱部材をさらに備えるように構成できる。
【００２４】
本発明によれば、熱媒体が加熱媒体である場合には、低温環境であっても断熱部材によって熱媒体収容袋が冷やされるのを防げるため、加熱媒体による加熱効果をできるだけ長く維持することができる。また、熱媒体が冷却媒体である場合には、人体の体温により熱媒体収容袋が加熱されるのを防げるため、冷却媒体による冷却効果をできるだけ長く維持することができる。
【００２５】
前記本発明は、前記交換口に着脱可能な接続管と、前記接続管に連結される温度調節装置とを備えており、前記温度調節装置が、前記熱媒体を収容するとともに前記熱媒体の熱媒体調温部を有するタンク部と、前記タンク部に収容する前記熱媒体を前記接続管に送り且つ前記接続管から前記熱媒体を前記タンク部に回収する熱媒体給排手段とを備えるように構成できる。
【００２６】
本発明によれば、温度調節装置に連結された接続管を熱媒体収容袋の交換口に接続することで、熱媒体収容袋に熱媒体を充填することができる。そして熱媒体の充填後は、熱媒体収容袋の交換口から接続管を外すことができる。このため調温装具の装着者は、熱媒体の加熱又は冷却に必要な装置を身体に装着せずに自由に行動できる。即ち、装着者は、前述の特許文献２のように接続管を繋げたまま行動する必要がないので、接続管が届く範囲に移動が制限されず、自由に行動できる。また、装着者は、前述の特許文献３のように熱媒体による加熱効果や冷却効果を得るための駆動機構や電源部を身につけたまま行動する必要がないので、それらの破損や故障を気に掛けずに、自由に行動できる。
【００２７】
前記熱媒体給排手段は、前記タンク部に収容する前記熱媒体を前記接続管を介して前記熱媒体収容袋に供給する注入モードと、前記熱媒体収容袋に充填した前記熱媒体を前記接続管を介して前記タンク部へ回収する回収モードとを切り換える流路切換部を有するように構成できる。
【００２８】
本発明によれば、熱媒体給排手段の流路切換部が、注入モードと回収モードとを切り換えることができるので、熱媒体の注入と回収を容易に行うことができる。さらに本発明については、前記接続管が１本であり、前記温度調節装置が前記接続管を接続する１つの接続口を有するように構成できる。これによれば、熱媒体の注入と回収とを別々の接続管によって行う必要がなく、１の接続管によって熱媒体の入れ替えを容易に行うことができる。
【００２９】
前記流路切換部は、前記タンク部から前記熱媒体を吸入して前記タンク部に吐出する攪拌モードをさらに切り換え可能であるように構成できる。
【００３０】
本発明によれば、流路切換部が攪拌モードにさらに切換可能であるため、タンク部に収容する加熱媒体や冷却媒体を攪拌することで、効率的に加熱又は冷却することができる。
【００３１】
また、前記目的を達成すべく本発明は、人体を加熱又は冷却する熱媒体を収容し、熱媒体の交換口を有する熱媒体収容袋と、前記交換口に着脱可能な接続管と、前記接続管に連結される温度調節装置とを備えており、前記温度調節装置は、前記熱媒体を収容するとともに前記熱媒体の熱媒体調温部を有するタンク部と、前記タンク部に収容する前記熱媒体を前記接続管に送り且つ前記接続管から前記熱媒体を前記タンク部に回収する熱媒体給排手段とを備え、前記熱媒体給排手段は、前記タンク部に収容する前記熱媒体を前記接続管を介して前記熱媒体収容袋に供給する注入モードと、前記熱媒体収容袋に充填した前記熱媒体を前記接続管を介して前記タンク部へ回収する回収モードとを切り換える流路切換部を有する人体調温システムを提供する。
【００３２】
本発明によれば、温度調節装置に連結された接続管を熱媒体収容袋の交換口に接続することで、熱媒体収容袋に熱媒体を容易に充填することができ、熱媒体の充填後は熱媒体収容袋の交換口から接続管を外すことができる。このため本発明によれば、熱媒体の交換作業を円滑に行うことができる。また、熱媒体を充填した熱媒体収容袋は、接続管及び温度調節装置と分離して使用できるため、装着者の自由な行動を制限せず、人体の調温対象部位を効果的に加熱又は冷却することができる。そして熱媒体収容袋に対する熱媒体の注入と回収は、熱媒体給排手段の流路切換部が注入モードと回収モードとを切り換えることで容易に行うことができる。
【発明の効果】
【００３３】
本発明の調温装具及び人体調温システムによれば、加熱効果及び冷却効果に優れ、熱媒体の交換作業を円滑に行うことができ、また装着者の自由な行動を制限しないようにすることができる。
【図面の簡単な説明】
【００３４】
【図１】本発明の調温装具の一実施形態である冷却装具の外観斜視図。
【図２】図１で示す調温ベストの側面図。
【図３】図１で示す調温ベストの背面部の分解図。
【図４】図１で示す調温ベストに備える調温袋の正面図。
【図５】図１の冷媒供給装置の構成を示す説明図。
【発明を実施するための形態】
【００３５】
以下、本発明の調温装具及び人体調温システムの一実施形態を説明する。本実施形態では調温装具及び人体調温システムとして冷却装具１を例示して説明する。よって冷却装具１で用いる熱媒体は冷却媒体（以下、単に「冷媒」という。）である。
【００３６】
本明細書、特許請求の範囲では、説明の便宜上、図１に示される調温ベスト２を基準として、その左右方向（幅方向）をＸ方向、前後方向（奥行方向）をＹ方向、上下方向（高さ方向）をＺ方向として説明する。
【００３７】
冷却装具１の構成
【００３８】
冷却装具１は、調温ベスト２と冷媒供給装置３とを備える。図１は調温ベスト２と冷媒供給装置３とを接続した状態を示す。この状態では冷媒供給装置３が、調温ベスト２からの冷媒Ｃの回収又は調温ベスト２への冷媒Ｃの供給の何れかを行える状態である。調温ベスト２の装着者は、こうした冷媒供給装置３との接続状態を解除して行動することができる。
【００３９】
調温ベスト２の説明
【００４０】
調温ベスト２は、相互に別体として構成されており分離可能である前面部４と背面部５とで構成される。前面部４は、装着者の胸部と腹部を覆う外形を有する。背面部５は、装着者の背中を覆う外形を有する。前面部４と背面部５は、脇部接合部６と肩部接合部７とで相互に繋がり一体化され、１着の衣服（ベスト）として構成される。本実施形態の調温ベスト２は、外衣として使用され、装着者は下着や中着の上にこれを着る。また調温ベスト２は、作業用ベストとして使用され、例えば夏場の炎天下の屋外環境や、工場等の高温の屋内環境等の高温環境での着用に適している。
【００４１】
前面部４の説明
【００４２】
前面部４は、右前面部４ａと左前面部４ｂとを有しており、それらは中央の前面接合部４ｃによって開け閉めできる。この前面部４は、本発明の「服本体」の一部を構成する。前面接合部４ｃは、本実施形態では線ファスナーとして構成されており、装着者が調温ベスト２を容易に着脱することができ、前面接合部４ｃの閉状態では右前面部４ａと左前面部４ｂとが容易に分離できないようにしている。
【００４３】
右前面部４ａと左前面部４ｂには、複数の横帯片４ｄが縫い付けられている。複数の横帯片４ｄは、右前面部４ａと左前面部４ｂの下側位置から胸部の上方位置まで、所定間隔で並列に水平方向（Ｘ方向）に沿って前面外装部４ｅに縫合されている。横帯片４ｄには、図１で示すように、隣接する縦縫合線４ｄ１どうしの間に各種のアタッチメントを調温ベスト２に装着できるアタッチメント用装着部４ｆが形成されている。アタッチメント用装着部４ｆは、前面外装部４ｅの表面に対して横帯片４ｄが縫合されず浮いていることで環状の係止部として形成される。こうしたアタッチメント用装着部４ｆには、例えば小物を収容するポーチやホルダーの固定用帯紐を挿通して固定したり、名札のクリップで挟んだり、カナビラを挿通して固定することができる。右前面部４ａに設けた横帯片４ｄと左前面部４ｂに設けた横帯片４ｄとは、水平方向で一文字状に配置されている。このため閉じた状態の前面接合部４ｃを跨ぐようにアタッチメントを配置し、アタッチメントを右前面部４ａの横帯片４ｄと左前面部４ｂの横帯片４ｄにそれぞれ固定できる。
【００４４】
閉状態の前面接合部４ｃの上端部から左右に分かれて伸長する右肩部４ｇ１と左肩部４ｇ２には前面肩部接合部４ｇ３が設けられている。前面肩部接合部４ｇ３は、本実施形態では面ファスナーとして構成されており、同じく面ファスナーとして構成されている後述する背面部５の背面肩部接合部８ｂと重なって相互に接合する。前述した肩部接合部７は、前面肩部接合部４ｇ３と背面肩部接合部８ｂによって構成されている。ここで前面肩部接合部４ｇ３と背面肩部接合部８ｂは面ファスナーであるため、接合位置を装着者の体格に応じて自在に調整することができる。よって調温ベスト２は、装着者の体型に合わせて大きさを調整することができ、後述する冷却効果を効果的に発揮することできる。
【００４５】
装着者の体型に合わせて大きさを調整できるという点では、前面部４と背面部５との境界には脇部接合部６が設けられている。脇部接合部６は、複数本のサイドベルトによって構成されており、サイドベルトは前面部４から伸張する係止具６ａに、背面部５から伸張する帯状の係止紐６ｂを挿通して留めることで締めることができる。この脇部接合部６も、装着者の体型に合わせて調温ベスト２を装着できることを実現するものであり、後述する冷却効果を効果的に発揮するのに貢献する。
【００４６】
前面部４の下縁側には、腰ベルト４ｈが設けられている。腰ベルト４ｈは、調温ベスト２の下端において腹部の周囲を引き締めるものである。したがって、腰ベルト４ｈは、装着者の体型に合わせて調温ベスト２を装着できることを実現するものであり、後述する冷却効果を効果的に発揮するのに貢献する。
【００４７】
背面部５の説明
【００４８】
背面部５は、複数の部材で構成されている。具体的には、図３で示すように、装着者の側から順に、背面内装部８、「断熱部材」としての内側断熱部９ａ、「熱媒体収容袋」としての調温袋１０、「断熱部材」としての外側断熱部９ｂ、背面外装部１１とで構成されている。このうち背面内装部８、背面外装部１１は、前述の前面部４とともに本発明の「服本体」を構成する。
【００４９】
背面内装部８は、人体の背中に沿って装着される部分であり蒸れを低減するためにメッシュ生地パネル８ａで構成されている。背面内装部８の上端における装着者の左右の肩に対応する部分には、背面肩部接合部８ｂが設けられている。本実施形態の背面肩部接合部８ｂは、前述したように、面ファスナーで構成されており、前面肩部接合部４ｇ３とともに肩部接合部７を構成する。この背面内装部８は、固定部（図示略）を介して背面外装部１１に対して着脱可能に固定される。
【００５０】
内側断熱部９ａと外側断熱部９ｂは、図３では分離して示しているが、相互に着脱可能な１つの袋体として構成されている。即ち、内側断熱部９ａと外側断熱部９ｂは、一体となって断熱部９を構成する。断熱部９の内部には、前述の調温袋１０が収容される。断熱部９と調温袋１０は、複数の固定部（図示略）によって相互に複数箇所で固定されて、調温袋１０が断熱部９の内部で位置ずれしないようにされている。内側断熱部９ａと外側断熱部９ｂは、例えばアルミ箔と不織布とを積層して形成されており、アルミ箔を調温袋１０に面するようにして使用される。即ち、内側断熱部９ａは、調温袋１０により人体が過度に冷却されることを防ぐとともに、人体の熱が調温袋１０に伝わり、調温袋１０の冷却効果が急速に低減するのを抑制する。外側断熱部９ｂは、高温環境の外気の熱が背面外装部１１を介して調温袋１０に伝わり、調温袋１０の冷却効果が低減するのを抑制する。
【００５１】
調温袋１０は、表地と裏地の外縁どうしを、熱融着等により液密に接合した袋状に形成されている。表地と裏地は、液密性の樹脂製のシート材にて形成されている。シート材の素材としては、例えばポリウレタン、ポリエチレンを用いることができる。
【００５２】
調温袋１０には、表地と裏地とを固着する多数の固着部１０ａが形成されている。表地の表面と裏地の表面は固着部１０ａの部分が凹んでおり、各固着部１０ａは本発明の「点状凹部」として構成されている。各固着部１０ａは、本実施形態では、表地と裏地とを熱融着してなる融着部にて構成している。したがって各固着部１０ａを形成する表地と裏地との間には冷媒Ｃを充填できない。固着部１０ａは、熱融着による融着部のみならず、接着剤により接着してなる接着部として構成してもよい。多数の固着部１０ａは、同じ直径の正円形に形成されている。このように多数の固着部１０ａを正円形とすることで、後述する冷媒Ｃの注入及び回収を行う際に、冷媒Ｃの流動抵抗の増加を抑制し、スムーズに注入作業及び回収作業を行えるようにしている。
【００５３】
多数の固着部１０ａは、Ｘ方向及びＺ方向において不等ピッチで配置されている。また、多数の固着部１０ａは、調温袋１０について左右対称に配置されている。多数の固着部１０ａは、調温袋１０の下側から上側へ８行で配置されており、隣接する行間ではＸ方向で位置ずれする千鳥状に配置されている。
【００５４】
各行に配置したＸ方向における固着部１０ａどうしの間隔は同じだが、下から数えて１行目〜４行目、６行目及び７行目は距離ｄｘ１で、５行目は距離ｄｘ２で、８行目は距離ｄｘ３で配置される。それらの距離はｄｘ１＜ｄｘ２＜ｄｘ３の長さ関係である。したがって、Ｚ方向で調温袋１０の下側部位（１〜４行目）は、隣接する固着部１０ａが比較的密に配置されており、上側部位（５行目〜８行目）は下側部位よりも離間して配置されている。
【００５５】
Ｚ方向における行間の間隔は、下から数えて１番目の行間（第１行間）が距離ｄｚ１で、以下同様に第２、３、６行間が距離ｄｚ２で、第４，５，７行間が距離ｄｚ３となっている。それらの距離はｄｚ１＜ｄｚ２＜ｄｚ３の長さ関係である。したがって、Ｚ方向で調温袋１０の下側部位（第１行間〜第３行間）は、隣接する固着部１０ａが比較的密に配置されており、上側部位（第４行間〜第７行間）は下側部位よりも離間して配置されている。
【００５６】
以上のように多数の固着部１０ａは、調温袋１０の上側部位よりも下側部位において、隣接する固着部１０ａどうしの配置間隔が狭くなるようにしている。そして、調温袋１０の中心下端には、冷媒Ｃの「交換口」として機能する注入・回収ポート１０ｂが配置されており、そこから離れるほど、固着部１０ａどうしの間隔が広くなるようにしている。このように人体の高さ方向（Ｚ方向）に沿う調温袋１０の下側部位（後述する脇下調温部１０ｆのＺ方向における中央より下側部分）に、隣接する固着部１０ａどうしの間隔を狭くすることで冷媒Ｃの充填容量が少なくなる低充填部１０Ａを設ける。これにより調温袋１０に充填した冷媒Ｃが、調温袋１０の下側部位に多く溜まって、調温袋１０の下側部位が偏って膨張してしまうのを防ぐことができる。これに対して調温袋１０の上側部位は、低充填部１０Ａと比較して、隣接する固着部１０ａどうしの間隔を相対的に広くすることで冷媒Ｃを充填し易くなる標準充填部１０Ｂとなっている。調温袋１０の下側部位が偏膨張してしまうと、調温袋１０の上側部位における冷却効果が低下し、背中の上側部位における冷却効果が低下し、背中全体を満遍なく広い面積で均一に冷却することが困難となる。また、調温袋１０の下側部位が偏膨張してしまうと、腹部が膨張することで、装着者の動き易さを損ねてしまうおそれもある。これらを原因として装着者が不快に感じることがないように、不等ピッチで多数の固着部１０ａを配置することで、調温袋１０を均質に膨張させるようにしている。調温袋１０に冷媒Ｃを充填した場合、その厚みは低充填部１０Ａも標準充填部１０Ｂもほぼ同じである。
【００５７】
多数の固着部１０ａは、冷媒Ｃが充填されない非充填部となり、その周囲には冷媒Ｃが充填されて膨らむ膨出部１０ｃが形成されることとなる。したがって、固着部１０ａは、膨出部１０ｃに対して調温袋１０の厚み方向（Ｙ方向）で陥没する形状となっている。このように膨出部１０ｃを設けることで、膨出部１０ｃが人体の調温対象部位としての背中に近接して配置されて、確実な冷却効果を得ることができる。また、多数の固着部１０ａを配置することで、調温対象部位としての背中を過剰に冷却してしまうことを抑制することができる。特に固着部１０ａにより形成される陥没部が断熱空間として機能することで、冷媒Ｃによる冷却効果を維持することにも繋がる。
【００５８】
さらに調温袋１０には、「非充填部」としての中央固着部１０ｄが形成されている。中央固着部１０ｄは、調温袋１０のＸ方向の中心でＺ方向に沿って伸長して形成されている。この中央固着部１０ｄには、冷媒Ｃが充填されない。そのため調温袋１０に冷媒Ｃを充填した状態であっても、中央固着部１０ｄを曲折線として、調温袋１０の左右を合わせるように折り畳むことができる。このため保管や運搬時に便利である。また、冷媒Ｃが充填されず、膨出部１０ｃに対して陥没する中央固着部１０ｄは、神経の通り道である人体の背骨における冷却効果を抑制できる。よって過剰な冷却により生じることのある体調不良を抑制することができる。
【００５９】
以上のような表面形状を持つ調温袋１０は、装着者の背中と脇下を「調温対象部位」としている。そのため調温袋１０の外形は、大きく分けて２つ部位からなる。即ち、装着者の背中に沿わせる背中調温部１０ｅと、背中調温部１０ｅから左右の側方に突出して装着者の脇下に沿わせる脇下調温部１０ｆである。これによって背中から脇下にあたる広い範囲で冷却効果を得られるようにしている。
【００６０】
調温袋１０の中心下端には、冷媒Ｃの「交換口」として機能する注入・回収ポート１０ｂが配置されている。調温袋１０の下縁１０ｇは、その注入・回収ポート１０ｂに向けて下り傾斜となるテーパー形状となっている。これにより冷媒Ｃの回収時に、冷媒Ｃの注入・回収ポート１０ｂにスムーズに導くことができる。なお、注入・回収ポート１０ｂの位置に応じて下り傾斜のテーパー形状の下端位置は変えてもよい。
【００６１】
調温袋１０の注入・回収ポート１０ｂは、調温袋１０の内部空間に連通する連結管１０ｂ１と、連結管１０ｂ１の先端に設けたコネクタ部１０ｂ２とで構成されている（図１、図５）。
【００６２】
背面外装部１１は、例えば合成繊維で形成することができ、その素材としてはポリアミド繊維、ポリエステル繊維等を用いることができる。なお、前面外装部４ｅも背面外装部１１と同様の素材を用いることができる。背面外装部１１には、外側断熱部９ｂと背面内装部８を複数箇所で固定するための固定部（図示略）が設けられている。
【００６３】
冷媒供給装置３の構成の説明
【００６４】
冷媒供給装置３は、図５で示すように「温度調節装置」としての温度調節部１２と、調温袋１０に接続される接続管１３とを備える。
【００６５】
温度調節部１２は、「熱媒体給排手段」としての熱媒体給排部１４と、タンク部１５と、複数の管材でなる流路１６ａ〜１６ｈと、制御部１７と、圧力センサ１８と、接続管１３を接続する給排ポート１９とを備える。
【００６６】
熱媒体給排部１４には、ポンプ１４ａが配置されており、その吸入側となる一次側には「流路切換部」としての吸入流路切換部１４ｂが接続されている。ポンプ１４ａの排出側となる二次側には「流路切換部」としての吐出流路切換部１４ｃが接続されている。吸入流路切換部１４ｂは、２つの流路１６ａ、１６ｂを介してタンク部１５に接続され、１つの流路１６ｃを介して給排ポート１９に接続されている。吐出流路切換部１４ｃは、２つの流路１６ｄ、１６ｅを介してタンク部１５に接続され、１つの流路１６ｆを介して給排ポート１９に接続されている。また、吸入流路切換部１４ｂと吐出流路切換部１４ｃは、ポンプ１４ａとそれぞれ流路１６ｇ、１６ｈと接続されている。このように吸入流路切換部１４ｂの一次側と吐出流路切換部１４ｃの二次側には、複数の流路１６ａ〜１６ｆが接続されており、その流路の切り換えが必要である。こうした吸入流路切換部１４ｂと吐出流路切換部１４ｃは、流路１６ａ〜１６ｆの接続ポートを有する複数のエアオペレーションバルブで構成することができる。そして冷媒供給装置３は、圧縮空気を送るコンプレッサー（図示略）と、圧縮空気の供給と供給停止を行う電磁弁（図示略）とを備えており、これらによってエアオペレーションバルブを制御することで、流路１６ａ〜１６ｆの切換動作が行われる。
【００６７】
タンク部１５は、調温タンク１５ａと回収タンク１５ｂを備えている。
【００６８】
調温タンク１５ａは、開閉可能な蓋を有する容器として形成されており、その内部には容器形状のバッファ部１５ｃが配置されている。バッファ部１５ｃの内部には、一端が吐出流路切換部１４ｃに接続されている流路１６ｄの他端と、「熱媒体調温部」としての冷却機１５ｄの冷却コイル１５ｅとが配置されている。このため冷媒Ｃは、バッファ部１５ｃの内部で冷却コイル１５ｅによって冷やされる。そして、バッファ部１５ｃから溢れた冷媒Ｃが調温タンク１５ａに流れることで、調温タンク１５ａは冷媒Ｃを貯蔵する。このように調温タンク１５ａで冷媒Ｃを冷却しないでバッファ部１５ｃにおいて冷却することで、バッファ部１５ｃに一定量の冷媒Ｃが貯蔵された状態を維持でき、冷却コイル１５ｅ全体が常に冷媒Ｃに接して冷却する状態を維持でき、冷却機１５ｄに過負荷がかからないようにできる。調温タンク１５ａには、例えば熱電対でなる温度センサ１５ｆが配置されており、冷媒Ｃの温度を検知できるようにしている。調温タンク１５ａには、一端が吸入流路切換部１４ｂに接続された流路１６ａの他端が配置されている。したがって、調温タンク１５ａに貯蔵する冷媒Ｃは、ポンプ１４ａにより吸入されてタンク部１５から排出される。さらに、調温タンク１５ａには、レベル計１５ｇが配置されており、冷媒Ｃの貯蔵量を検知できるようにしている。また、調温タンク１５ａの外面は断熱材１５ｈにより覆われていて、外気温によって貯蔵する冷媒Ｃの温度ができるだけ変動しないようにしている。
【００６９】
回収タンク１５ｂは、調温袋１０から回収した冷媒Ｃを貯留するためのものである。回収タンク１５ｂは、開閉可能な蓋を有する容器として形成されており、レベル計１５ｉが配置され、回収した冷媒Ｃの貯蔵量を検知できるようにしている。回収タンク１５ｂの内部には、一端が吸入流路切換部１４ｂに接続された流路１６ｂの他端が配置されている。即ち、回収タンク１５ｂに貯蔵する冷媒Ｃは、流路１６ｂを通じてタンク部１５から排出できるようにしている。また、回収タンク１５ｂの内部には、一端が吐出流路切換部１４ｃに接続された流路１６ｅの他端が配置されている。したがって、熱媒体給排部１４から送られる冷媒Ｃは、流路１６ｅを通じて回収タンク１５ｂに供給することができる。
【００７０】
タンク部１５には、以上のような調温タンク１５ａと回収タンク１５ｂを受けるドレンパン１５ｊが配置されており、ドレンパン１５ｊには液漏れを検知する漏液センサ１５ｋが配置されており、調温タンク１５ａ及び回収タンク１５ｂからの冷媒Ｃの漏出を検知できるようにしている。
【００７１】
制御部１７は、コントローラで構成されており、冷媒供給装置３の全体の動作制御を行う。そのため、制御部１７は、熱媒体給排部１４、タンク部１５及び圧力センサ１８に対して信号線２０ａ〜２０ｃを介して電気的に接続されている。制御部１７の動作は後述する。
【００７２】
圧力センサ１８は、吐出流路切換部１４ｃと給排ポート１９とを繋ぐ流路１６ｆと、吸入流路切換部１４ｂと給排ポート１９とを繋ぐ流路１６ｃを流れる冷媒Ｃの圧力を測定し圧力信号を出力する。その圧力信号は、信号線２０ｃを通じて制御部１７に送られて、制御部１７は、給排ポート１９、接続管１３、調温袋１０の内圧の異常を検知する。圧力センサ１８を設ける場合、圧力センサ１８と給排ポート１９との間の流路１６ｆと流路１６ｃは、１つの流路として構成してもよい。
【００７３】
給排ポート１９は、本発明の「接続口」として構成され、そこには接続管１３が着脱可能として接続される。接続管１３の先端には、前述した調温袋１０から伸長する注入・回収ポート１０ｂのコネクタ部１０ｂ２に接続されるコネクタ部１３ａが取付けられている。コネクタ１０ｂ２とコネクタ部１３ａは、一方をソケット、他方をプラグとする流体コネクタとして構成されており、液密に嵌合接続することで、冷媒Ｃを流通させることができる。
【００７４】
ここで冷媒Ｃについて説明する。本実施形態で使用する冷媒Ｃは、液体であり、具体的にはエチレングリコール又はプロピレングリコールを使用することができる。このうちプロピレングリコールについては、仮に調温袋１０が破れて漏出し、人体に付着したり誤飲しても有害ではないことから、安全に使用することができて、特に調温ベスト２に使用する冷媒Ｃとして好適である。
【００７５】
冷媒供給装置３の動作説明
【００７６】
冷媒供給装置３の各種機能による動作を説明する。冷媒供給装置３は、制御部１７が熱媒体給排部１４とタンク部１５に対する動作制御によって、注入モード、回収モード、再充填モード、攪拌モード及び移送モードの５つの動作モードを実行することができる。
【００７７】
注入モードの説明
【００７８】
注入モードでは、冷媒供給装置３が調温ベスト２の調温袋１０に対して冷媒Ｃを供給する。冷媒供給装置３の注入開始スイッチ３ａを押すと（図１参照）、制御部１７の制御によって熱媒体給排部１４が駆動され、吸入流路切換部１４ｂの一次側が流路１６ａに接続され、吐出流路切換部１４ｃの二次側が流路１６ｆに接続される。これにより冷媒供給装置３は、調温タンク１５ａ、流路１６ａ、吸入流路切換部１４ｂ、流路１６ｇ、ポンプ１４ａ、流路１６ｈ、吐出流路切換部１４ｃ、流路１６ｆ、給排ポート１９及び接続管１３により構成される「流入流路」を形成して、調温タンク１５ａに貯蔵されている冷媒Ｃを調温袋１０に注入することができる。
【００７９】
調温袋１０への適切な充填量は、圧力センサ１８の圧力信号に基づいて判定する。即ち、圧力センサ１８は、流路１６ｆを流れる冷媒Ｃの圧力を測定し、その圧力信号を信号線２０ｃから制御部１７に送る。制御部１７は、冷媒Ｃの圧力が適正充填量に対応する充填圧力を超えたとき、適正量が充填されたと判定して、熱媒体給排部１４の駆動を停止して、注入モードを自動停止する。注入モードはこのように実行される。なお、充填圧力は、冷媒Ｃの粘度や調温袋１０の形状といった諸条件に応じて適切な値に設定することができる。
【００８０】
なお、冷媒供給装置３に備える動作停止スイッチ３ｂを押せば（図１参照）、任意のタイミングで、注入モードを手動で停止することもできる。このため、例えば適正充填量を超えて人体に不快な充填圧力が作用した場合のように、冷媒Ｃの注入を中断すべき事態が生じた場合であっても、安全に使用することができる。
【００８１】
回収モードの説明
【００８２】
回収モードでは、冷媒供給装置３が調温ベスト２の調温袋１０から冷媒Ｃを回収する。冷媒供給装置３の回収開始スイッチ３ｃを押すと、制御部１７の制御によって熱媒体給排部１４が駆動され、吸入流路切換部１４ｂの一次側が流路１６ｃに接続され、吐出流路切換部１４ｃの二次側が流路１６ｅに接続される。これにより冷媒供給装置３は、接続管１３、給排ポート１９、流路１６ｃ、吸入流路切換部１４ｂ、流路１６ｇ、ポンプ１４ａ、流路１６ｈ、吐出流路切換部１４ｃ、流路１６ｅ及び回収タンク１５ｂにより構成される「回収流路」を形成して、調温袋１０に充填されている冷媒Ｃを回収タンク１５ｂに回収することができる。
【００８３】
調温袋１０から回収する冷媒Ｃは、温まり冷却効果が低下している。そのため回収タンク１５ｂを設けずに調温タンク１５ａに直接回収すると、設定温度に冷却されている冷媒Ｃが回収した冷媒Ｃによって温められてしまう。しかしながら回収タンク１５ｂによって回収した冷媒Ｃを一時的に貯蔵することで、温まった冷媒Ｃを回収しても調温タンク１５ａに貯蔵する冷えた冷媒Ｃを設定温度に維持できるようにしている。
【００８４】
調温袋１０からの冷媒Ｃの回収が終了したか否かは、圧力センサ１８の圧力信号に基づいて判定する。即ち、圧力センサ１８は、流路１６ｃを流れる冷媒Ｃの圧力を測定し、その圧力信号を信号線２０ｂから制御部１７に送る。こ制御部１７は、冷媒Ｃの圧力が回収圧力以下になったとき、適正量が回収されたと判定して、熱媒体給排部１４の駆動を停止して、回収モードを自動停止する。回収モードはこのように実行される。なお、回収圧力は、冷媒Ｃの粘度や調温袋１０の形状といった諸条件に応じて適切な値に設定することができる。
【００８５】
なお、注入モードと同様に、回収モードにおいても動作停止スイッチ３ｂを押せば（図１参照）、任意のタイミングで回収モードを手動で停止することができる。
【００８６】
再充填モードの説明
【００８７】
再充填モードでは、冷媒供給装置３が調温ベスト２の調温袋１０から冷媒Ｃを回収し、これに続けて調温袋１０に対して冷媒Ｃを供給する。再充填モードは、前述の回収モードと注入モードを自動で連続して行うものであり、その動作はそれぞれ説明した通りである。即ち、冷媒供給装置３の再充填スイッチ３ｄを押下すれば、前述の回収モードと注入モードの動作にしたがって、冷媒Ｃの回収開始から充填終了まで自動で行うことができる。これによれば再充填作業を容易に行うことができる。
【００８８】
なお、冷媒Ｃの再充填は、コネクタ部１０ｂ２とコネクタ部１３ａの接続後、前述の回収開始スイッチ３ｃを押下して冷媒Ｃを回収し、回収モードの自動停止後に、注入開始スイッチ３ａを押下して冷媒Ｃを注入するようにして行ってもよい。
【００８９】
攪拌モードの説明
【００９０】
攪拌モードは、冷媒供給装置３が調温タンク１５ａに貯蔵されている冷媒Ｃを設定温度に維持する機能である。制御部１７は、温度センサ１５ｆによって調温タンク１５ａに貯蔵されている冷媒Ｃの温度を監視している。冷媒Ｃの温度が所定の設定温度を超える調節実行温度となった場合、制御部１７は調温タンク１５ａに貯蔵されている冷媒Ｃの温度を下げる動作を自動で行う。
【００９１】
具体的には、制御部１７は、温度センサ１５ｆにより冷媒Ｃの温度が調節実行温度となったことを検知すると、冷却機１５ｄを作動して、バッファ部１５ｃに貯蔵されている冷媒Ｃを冷却コイル１５ｅで冷却する動作を実行する。これとともに制御部１７は、熱媒体給排部１４を駆動し、吸入流路切換部１４ｂの一次側を流路１６ａに接続し、吐出流路切換部１４ｃの二次側を流路１６ｄに接続する。これにより冷媒供給装置３は、調温タンク１５ａ、流路１６ａ、吸入流路切換部１４ｂ、流路１６ｇ、ポンプ１４ａ、流路１６ｈ、吐出流路切換部１４ｃ、流路１６ｄ及びバッファ部１５ｃにより構成される「攪拌流路」を形成する。バッファ部１５ｃで冷却された冷媒Ｃが、調温タンク１５ａに流れ、調温タンク部１５ａに貯蔵されている冷媒Ｃがバッファ部１５ｃに戻されて冷却されることで、調温タンク部１５ａの冷媒Ｃを設定温度まで冷却することができる。こうした攪拌モードは、特に回収モードや再充填モードで、調温袋１０より温かい冷媒Ｃが回収され、後述の移送モードで回収した冷媒Ｃを回収タンク１５ｂから調温タンク１５ａに移送した場合に自動で作動する。したがって、冷媒供給装置３では、温かい冷媒Ｃを回収しても、設定温度以下の冷媒Ｃを自動で生成することができる。
【００９２】
移送モードの説明
【００９３】
移送モードは、冷媒供給装置３が回収タンク１５ｂに貯蔵されている冷媒Ｃを調温タンク１５ａに流す機能である。制御部１７は、回収タンク１５ｂのレベル計１５ｉによって回収タンク１５ｂに貯蔵されている冷媒Ｃの量を監視している。そして冷媒Ｃの量が所定の設定量を超える回収実行量となった場合、制御部１７は回収タンク１５ｂに貯蔵されている冷媒Ｃを調温タンク１５ａに流す動作を自動で行う。
【００９４】
具体的には、制御部１７は、レベル計１５ｉにより冷媒Ｃの貯蔵量が回収実行量に到達したことを検知すると、熱媒体給排部１４を駆動し、吸入流路切換部１４ｂの一次側を流路１６ｂに接続し、吐出流路切換部１４ｃの二次側を流路１６ｄに接続する。これにより冷媒供給装置３は、回収タンク１５ｂ、流路１６ｂ、吸入流路切換部１４ｂ、流路１６ｇ、ポンプ１４ａ、流路１６ｈ、吐出流路切換部１４ｃ、流路１６ｄ及びバッファ部１５ｃにより構成される「移送流路」を形成する。これにより回収タンク１５ｂに貯蔵する冷媒Ｃが調温タンク１５ａに流れて、調温袋１０への注入に利用することができる。
【００９５】
冷却装具１の特徴
【００９６】
本実施形態の冷却装具１は、既に説明したもののほか以下の特徴を有する。
【００９７】
本実施形態の冷媒供給装置３は、前述した注入モード、回収モード、再充填モードを全自動で行うことができる。このような調温袋１０への冷媒Ｃの注入・回収・再充填は、装着者が調温ベスト２を着たまま行うことができる。即ち、装着者は、調温袋１０から伸長する注入・回収ポート１０ｂを引き出し、そのコネクタ１０ｂ２に冷媒供給装置３の接続管１３のコネクタ部１３ａを接続してから、注入開始スイッチ３ａ、回収開始スイッチ３ｃ又は再充填スイッチ３ｄを押下するだけでよい。したがって装着者は、調温ベスト２を脱ぐことなく、簡単な操作で容易に冷媒Ｃの注入・回収・再充填を行うことができる。
【００９８】
本実施形態の調温ベスト２は、約２リットルを適正充填量として、調温袋１０に冷媒Ｃを充填することができる。そして太陽照射のある外気温３０〜３８℃の屋外環境で１〜２．０時間の冷却効果を得ることができる。冷却効果が無くなってきた場合、調温袋１０から冷媒Ｃを回収し且つ充填量ゼロの状態から適正充填量まで充填するための所要時間は１分〜２分であって、極めて短い時間で再充填することができる。夏季の炎天下での屋外作業等では、熱中症予防対策として小まめな休憩が有効であるが、そうした休憩サイクルに合わせて短時間で且つ容易に冷媒Ｃを再充填することが可能であり便利である。
【００９９】
変形例の説明
【０１００】
以上の実施形態については様々な変形例による実施が可能であるため、その幾つかの例を説明する。
【０１０１】
前記実施形態では「調温装具」として冷却装具１を例示したが、加熱装具として構成することもできる。加熱装具の「熱媒体」は加熱媒体となる。また、冷媒供給装置３は冷却機１５ｄを備えるが、それに替えて加熱器を備えることで加熱媒体供給装置として構成する。このように構成することで、調温ベスト２を冷却ベストとして使用するだけでなく、保温ベストとして使用することも可能である。
【０１０２】
前記実施形態では、冷媒供給装置３に１つの給排ポート１９を設ける例を示したが、複数設けるようにしてもよい。これによれば、複数の調温ベスト２に対して同時に冷媒Ｃの再充填等を効率的に行うことができる。
【０１０３】
前記実施形態では、調温ベスト２に１つの調温袋１０を設ける例を示したが、複数としてもよい。例えば調温対象部位が複数ある場合に、調温対象部位ごとに調温袋を設けるようにしてもよい。前記実施形態に応じて例示すると、背中調温部１０ｅに対応する調温袋と、脇下調温部１０ｆに対応する調温袋としてもよい。但し、この場合には、それぞれ別々に冷媒Ｃの注入や再充填を行う必要があるためそれらの作業が煩雑になる欠点がある。
【０１０４】
前記実施形態では「点状凹部」として表地と裏地を熱融着した固着部１０ａを例示したが、表地と裏地が固着しておらず、表地と裏地の間に冷媒Ｃが流入する形態としてもよい。そうした「点状凹部」とする場合でも、膨出部１０ｃに対して陥没する形状とする必要がある。
【０１０５】
前記実施形態では、固着部１０ａを正円形とする例を示したが、楕円形等の他の円形でも、多角形でもよい。また、固着部１０ａは、短い線でも、複数本の短い線が交差する線としてもよいが、「点状凹部」を形成するものであることが必要であり、前述した特許文献１のように隣接する冷媒室を区画する壁を形成するようなものとしてはならない。
【０１０６】
前記実施形態では調温袋１０に中央固着部１０ｄを設けて冷媒Ｃの充填状態で左右を合わせるように折り曲げることができるようにする例を示したが、中央固着部１０ｄを設けなくてもよい。また、中央固着部１０ｄは、装着者の背骨に沿って高さ方向（Ｚ方向）に伸長する１本の直線状に形成する例を示したが、断続する破線状に形成したり、多数の点状の固着部１０ａを直線状に配置するような形態としてもよい。
【０１０７】
前記実施形態では、調温袋１０に１つの注入・回収ポート１０ｂを設ける例を示したが、複数設けてもよい。また、注入ポートと回収ポートに分けて設けてもよい。この場合、注入ポートは上側部位に、回収ポートは下側部位に設けるようにしてもよい。これによれば、注入時には熱媒体を調温袋１０の上から流し、回収時には熱媒体を調温袋１０の下から排出できるので、効率的に注入と回収を行える利点がある。
【０１０８】
前記実施形態では、調温袋１０への冷媒Ｃの充填量と調温袋１０からの冷媒Ｃの回収状況を、圧力センサ１８の圧力信号に基づいて、判定する例を示したが、ポンプ１４ａの充填量や回収量に基づいて判定しても良い。冷媒Ｃの充填量や回収量は、例えば、ポンプ１４ａの単位時間当たりの充填量と充填時間に基づいて、算出できる。これによれば、調温袋１０の変形によって圧力センサ１８の圧力信号が変動しても判定に影響が出ないという利点がある。
【０１０９】
前記実施形態では、調温対象部位を装着者の背中及び脇下として調温袋１０を背中及び脇下に対応する外形とする例を示したが、これに限定されない。例えば、調温袋１０についてはさらに胸部に対応する外形としたり、背中のみに対応する外形、脇下のみに対応する外形、胸部のみに対応する外形としてもよい。また、人体の肩部や脚部等をアイシングするためや、腰部等を保温するために、調温袋１０を肩部、脚部、腰部等に対応する外形として構成してもよい。この場合には「調温装具」としては調温ベスト２ではなく、調温対象部位に応じた形状の調温装具として構成することになる。さらに「調温装具」、調温袋１０の用途は限定されず、屋内外での活動用途、スポーツ用途、治療を含む医療用途、美容用途、リラクゼーション用途等としてもよい。
【符号の説明】
【０１１０】
１    冷却装具（調温装具）
２    調温ベスト
３    冷媒供給装置
３ａ  注入開始スイッチ
３ｂ  動作停止スイッチ
３ｃ  回収開始スイッチ
３ｄ  再充填スイッチ
４    前面部（服本体）
４ａ  右前面部
４ｂ  左前面部
４ｃ  前面接合部
４ｄ  横帯片
４ｄ１  縦縫合線
４ｅ  前面外装部
４ｆ  アタッチメント用装着部
４ｇ１  右肩部
４ｇ２  左肩部
４ｇ３  前面肩部接合部
４ｈ  腰ベルト
５    背面部
６    脇部接合部
６ａ  係止具
６ｂ  係止紐
７    肩部接合部
８    背面内装部（服本体）
８ａ  メッシュ生地パネル
８ｂ  背面肩部接合部
９    断熱袋（断熱部材）
９ａ  内側断熱部（断熱部材）
９ｂ  外側断熱部（断熱部材）
１０    調温袋（熱媒体収容袋）
１０Ａ  低充填部
１０Ｂ  標準充填部
１０ａ  固着部（点状凹部）
１０ｂ  注入・回収ポート（交換口）
１０ｂ１  連結管
１０ｂ２  コネクタ部
１０ｃ  膨出部
１０ｄ  中央固着部（非充填部）
１０ｅ  背中調温部
１０ｆ  脇下調温部
１０ｇ  下縁
１１    背面外装部（服本体）
１２    温度調節部（温度調節装置）
１３    接続管
１３ａ  コネクタ部
１４    熱媒体給排部（熱媒体給排手段）
１４ａ  ポンプ
１４ｂ  吸入流路切換部（流路切換部）
１４ｃ  吐出流路切換部（流路切換部）
１５    タンク部
１５ａ  調温タンク
１５ｂ  回収タンク
１５ｃ  バッファ部
１５ｄ  冷却機（熱媒体調温部）
１５ｅ  冷却コイル
１５ｆ  温度センサ
１５ｇ  レベル計
１５ｈ  断熱材
１５ｉ  レベル計
１５ｊ  ドレンパン
１５ｋ  漏液センサ
１６ａ〜１６ｈ    流路
１７    制御部
１８    圧力センサ
１９    給排ポート（接続口）
２０ａ〜２０ｃ  信号線
Ｃ    冷媒（熱媒体）
【図１】
2019210575.tif 000003
【図２】
2019210575.tif 000004
【図３】
2019210575.tif 000005
【図４】
2019210575.tif 000006
【図５】
2019210575.tif 000007